(57)【要約】【課題】簡易で、経済的かつコンパクトな構造を有するベッド兼用ソファを提供する。【解決手段】支持及びガイド構造（１２）と、ベッド形態とソファ形態との間で支持及びガイド構造（１２）に対して移動可能なマットレス（１４）であって、ベッド形態では水平に広がった支持面（１６）を有し、ソファ形態では上方部（１４ａ）が下方部（１４ｂ）に対して上方に折り曲げられるマットレス（１４）とを備えたベッド兼用ソファにおいて、ソファ形態では、マットレス（１４）の上方部（１４ａ）の支持面（１６ａ）が、座った状態の占有者の背中を直接支える背もたれの支持面を形成している。【選択図】  図１
2005034644.tif 000002
【特許請求の範囲】
【請求項１】
支持及びガイド構造（１２）と、
ベッド形態とソファ形態との間で上記支持及びガイド構造（１２）に対して移動可能なマットレス（１４）であって、ベッド形態では水平に広がった支持面（１６）を有し、ソファ形態では上方部（１４ａ）が下方部（１４ｂ）に対して上方に折り曲げられるマットレス（１４）とを備えたベッド兼用ソファにおいて、
ソファ形態では、マットレス（１４）の上方部（１４ａ）の支持面（１６ａ）が、座った状態の占有者の背中を直接支える背もたれの支持面を形成することを特徴とするベッド兼用ソファ。
【請求項２】
ソファ形態では、マットレス（１４）の下方部（１４ｂ）の支持面（１６ｂ）がソファのシート面を形成することを特徴とする請求項１に記載のベッド兼用ソファ。
【請求項３】
マットレス（１４）の上方部（１４ａ）がマットレス（１４）の下面に適用される複数の支持ロッド（２４）を支え、この支持ロッド（２４）の各々が端部にアイドルガイドローラ（３２）を備えていることを特徴とする請求項２に記載のベッド兼用ソファ。
【請求項４】
上記支持及びガイド構造（１２）が静止ベース（３６）から上方に延びた二つのガイド用アップライト部（４０）を備え、このガイド用アップライト部（４０）の各々に上記アイドルガイドローラ（３２）により摺動するように係合させられるガイド溝（４２）が設けられたことを特徴とする請求項１に記載のベッド兼用ソファ。
【請求項５】
上記支持及びガイド構造（１２）が、静止水平ガイド（４８）に対して伸縮自在に摺動できる一対の可動水平ガイド（５０）を支える一対の静止水平ガイド（４８）を備えていることを特徴とする請求項１に記載のベッド兼用ソファ。
【請求項６】
フロア上に支えるホイール（５４）を備え、上記可動水平ガイド（５０）に対して伸縮自在に摺動できる可動フレーム（５２）を備えていることを特徴とする請求項５に記載のベッド兼用ソファ。
【請求項７】
上記ガイド用アップライト部（４０）が実質的に直線的な上方部（４０ａ）とアーチ状の下方部（４０ｂ）とを有することを特徴とする請求項４に記載のベッド兼用ソファ。
【請求項８】
ベッド形態では、マットレス（１４）が、マットレス（１４）の作動方向に平行に延びる長辺（１８）を備えた実質的に矩形の形状を有することを特徴とする請求項１に記載のベッド兼用ソファ。
【発明の詳細な説明】
【技術分野】
【０００１】
本発明は、主たる請求項の前提部分に述べられている特徴を有するベッド兼用ソファに関するものである。
【背景技術】
【０００２】
本願出願人による文献EP-A-811341は、ソファ形態におけるマットレスが摺動支持構造の下方に折り曲げられるベッド兼用ソファを開示している。この公知の解決策では、ベッド兼用ソファ、即ちソファベッドの静止支持構造は、ソファの後部支持脚に結合された二つの支持アームにより支えられた背もたれ構造を備えている。この背もたれ構造は、それがベッドのヘッド部を形成する垂直な形態を、或いはソファの背もたれを形成する後方折り曲げ形態をとることができる。
【０００３】
文献US-A-2568366及びUS-A-4586206は、主たる請求項の前提部分に含まれた特徴のあるベッド兼用ソファを開示している。これらの公知の両解決策では、マットレスは、マットレスが水平に広がったベッド形態とマットレスの上部が下部に対して上方に折り曲げられたソファ形態との間で支持部と構造物ガイドに対して移動可能である。これらの公知の両解決策では、ソファの支持構造は、互いに引き離され、ソファ形態において、マットレスの上部を受け入れる小室を形成する後部壁と前部壁を備えた静止背もたれ構造からなっている。
【特許文献１】EP-A-811341号公報
【特許文献２】US-A-2568366号公報
【特許文献３】US-A-4586206号公報
【発明の開示】
【発明が解決しようとする課題】
【０００４】
本発明の目的は、上述した先行技術の解決策よりも簡易で、経済的かつコンパクトな構造を有するベッド兼用ソファを提供することにある。
【課題を解決するための手段】
【０００５】
本発明によれば、上記目的は主たる請求項に述べられた特徴を有するベッド兼用ソファにより達成され、第１発明は、支持及びガイド構造と、ベッド形態とソファ形態との間で上記支持及びガイド構造に対して移動可能なマットレスであって、ベッド形態では水平に広がった支持面を有し、ソファ形態では上方部が下方部に対して上方に折り曲げられるマットレスとを備えたベッド兼用ソファにおいて、ソファ形態では、マットレスの上方部の支持面が、座った状態の占有者の背中を直接支える背もたれの支持面を形成する構成とした。
【０００６】
第２発明は、第１発明の構成に加えて、ソファ形態では、マットレスの下方部の支持面がソファのシート面を形成する構成とした。
【０００７】
第３発明は、第２発明の構成に加えて、マットレスの上方部がマットレスの下面に適用される複数の支持ロッドを支え、この支持ロッドの各々が端部にアイドルガイドローラを備えている構成とした。
【０００８】
第４発明は、第１発明の構成に加えて、上記支持及びガイド構造が静止ベースから上方に延びた二つのガイド用アップライト部を備え、このガイド用アップライト部の各々に上記アイドルガイドローラにより摺動するように係合させられるガイド溝が設けられた構成とした。
【０００９】
第５発明は、第１発明の構成に加えて、上記支持及びガイド構造が、静止水平ガイドに対して伸縮自在に摺動できる一対の可動水平ガイドを支える一対の静止水平ガイドを備えている構成とした。
【００１０】
第６発明は、第５発明の構成に加えて、フロア上に支えるホイールを備え、上記可動水平ガイドに対して伸縮自在に摺動できる可動フレームを備えている構成とした。
【００１１】
第７発明は、第４発明の構成に加えて、上記ガイド用アップライト部が実質的に直線的な上方部とアーチ状の下方部とを有する構成とした。
【００１２】
第８発明は、第１発明の構成に加えて、ベッド形態では、マットレスが、マットレスの作動方向に平行に延びる長辺を備えた実質的に矩形の形状を有する構成とした。
【発明を実施するための最良の形態】
【００１３】
本発明の好ましい実施形態は、単に非限定的な例として提供された添付図面を参照してこれから記述される。
【００１４】
次に、本発明の一実施形態を図面にしたがって説明する。
図１及び２を参照すると、参照番号１０は、本発明に係るベッド兼用ソファ、即ちソファベッドを示している。ソファベッド１０は支持及びガイド構造１２を備え、後述する方法で引き出し状態と引っ込み状態との間で作動可能である。この支持及びガイド構造１２は、図１及び２に示されているベッド形態において水平に広がり、上に傾斜状態にあるベッドの占有者を載せるように予定された支持面１６を有するマットレス１４を支えている。ベッド形態において、マットレス１４は、一般的に二つの長辺１８と二つの短辺２０を備えた矩形の平面図形状を有している。このマットレス１４は、図１及び２において、両矢印２２により指定された方向に、ソファ形態及びベッド形態との間で、及びその逆に作動可能である。本発明の好ましい特徴によれば、マットレス１４の長辺１８はマットレス１４の両矢印２２で示された作動方向に平行に広がる。
【００１５】
図１，２及び３を参照すると、マットレス１４は、上方部１４ａと下方部１４ｂとを有している。ベッド形態では、この二つの上方部１４ａ，下方部１４ｂは、実質的に整列させられ、互いに共面をなしている。図３に示すソファ形態では、概略“Ｌ”形状に従い、上方部１４ａは下方部１４ｂに対して上方に延びている。図３に示すソファ形態では、マットレス上方部１４ａの支持面１６ａは、ソファの背もたれの支持面を構成し、そしてそれに対して、座った状態にあるソファの占有者の背中は直接位置する。ソファ形態におけるマットレス下方部１４ｂの支持面１６ｂは座面を構成する。
【００１６】
図１，５及び６を参照すると、マットレス１４の上方部１４ａは、マットレス１４の短辺２０に平行に延びる複数の支持ロッド２４を支えている。この支持ロッド２４は、支持面１６と反対側のマットレス１４の下面２６に適用されている。好ましくは、マットレス１４の下面２６に複数の横断管状シート３０（図６）を形成する布地２８の層が縫着され、その各々の内側には各支持ロッド２４が挿入されるのがよい。各支持ロッド２４の端部には横軸を中心として回転自在のアイドルガイドローラ３２が設けられている。
【００１７】
好ましくは、支持ロッド２４はマットレス１４の上方部１４ａに沿ってのみ延び、そしてそれはマットレス１４の全長の約２／３を占めるのがよい。マットレス１４の下方部１４ｂは、その下面に柔軟な材料からなるパネル３４が設けられるのが好ましく、エラストマー材料により作られるのが好ましい。パネル３４は下方部１４ｂの下面に縫うことにより、或いはベルクロ（Velcro:登録商標）テープにより適用される。好ましくは、柔軟な材料からなるパネル３４は、実質的に支持ロッド２４の厚みに等しい厚みを有するのがよい。
【００１８】
図１〜３を参照すると、ソファベッド１０の支持及びガイド構造１２は、１或いはそれよりも多くのグランドサポートエレメント３８が設けられた静止ベース３６を備えている。二つのガイド用アップライト部４０が静止ベース３６に固定され、そこから上方に延びている。この二つのガイド用アップライト部４０はソファベッド１０の二つの対向する辺上に延びている。このガイド用アップライト部４０の各々は支持ロッド２４に支えられたローラ３２により滑るように作動可能に係合させられるガイドチャネル４２を有している。このガイド用アップライト部４０は、実質的に直線的な形状の上方部４０ａとアーチ形で、ソファベッド１０の前方部に向かって凹状の下方部４０ｂとを有している。
【００１９】
支持及びガイド構造１２は、ガイド用アップライト部４０の下端近くで支持ベース３６に固定された二つの互いに平行な静止水平ガイド４８を備えている。この二つの静止水平ガイド４８は、図１において両矢印２２により示された方向に静止水平ガイド４８に対して伸縮自在に移動可能な二つの可動水平ガイド５０を支えている。順繰りに、この二つの可動水平ガイド５０は、両矢印２２により示された方向に可動水平ガイド５０に対して伸縮自在に摺動できる可動フレーム５２を支持している。この可動フレーム５２には、フロア上にのしかかる２対のアイドルホイール５４が設けられている。
【００２０】
図８，９及び１３は、本発明の好ましい実施形態による結節部（node）を示し、ここで可動水平ガイド５０と静止水平ガイド４８との間の摺動結合（sliding connection）（図８）を、そして可動フレーム５２と可動水平ガイド５０との間の摺動結合（sliding connection）（図９）が達成されている。静止水平ガイド４８及び可動水平ガイド５０は、実質的にＣ形断面を備えたアルミニウム型材により構成されるのが好ましい。各静止水平ガイド４８は、上方転動軌道（upper rolling track）と下方転動軌道（lower rolling track）とを有している。これらの軌道の各々は、対応する可動水平ガイド５０により支えられた２或いはそれよりも多くの対をなすアイドルホイール５６により係合させられている。同様に、各可動水平ガイド５０は、上方転動軌道と下方転動軌道とを有し、各々は可動フレーム５２により支えられた２或いはそれよりも多くの対をなすアイドルホイール５８により係合させられている。
【００２１】
可動フレーム５２は、パネルにより、或いは一連のフレキシブルベルトにより形成された構造により形成され得る支持エレメント６０を備えているのが好ましい。
【００２２】
本発明に係るソファベッドの作動は以下の通りである。図３に示すソファ形態からスタートし、使用者は、ベッド形態に移行させるために、図３において矢印６２により示される方向に可動フレーム５２を単に引っ張ることだけを必要とする。可動水平ガイド５０及び可動フレーム５２は図２及び７に示す位置に到達するまで延びる。マットレス１４の下方部１４ｂは可動フレーム５２に結合されている。従って、可動フレーム５２の引っ込み位置から引き出し位置への作動は、図３に示すソファ形態から図２に示すベッド形態へのマットレス５２の作動をもたらす。静止水平ガイド４８及び可動水平ガイド５０は、それぞれ、可動水平ガイド５０及び可動フレーム５２の最大引き出し位置を画定するエンドストッパを備えている。
【００２３】
ベッド形態からスタートしてソファ形態に戻るためには、可動フレーム５２をガイド用アップライト部４０に向けて押すことで十分である。この動作中、マットレス１４の上方部１４ａは上方に作動する。マットレス１４の上方部１４ａのこの上方の作動は、ガイド用アップライト部４０のガイドチャネル４２に摺動するように係合する支持ロッド２４の端部で支えられたアイドルガイドローラ３２によりガイドされる。
【００２４】
ソファベッド１０はまたマットレス１４から分離した管状枕６４をも備えることができ、それは、ソファ形態では、マットレス１４の背もたれ部である上方部１４ａとシート部である下方部１４ｂとの間の接続エリアに位置させられる。
【図面の簡単な説明】
【００２５】
【図１】本発明に係るベッド兼用ソファのベッド形態における部分断面図である。
【図２】図１に示すベッド兼用ソファの側面図である。
【図３】本発明に係るベッド兼用ソファのソファ形態における側面図である。
【図４】図３のIV-IV線での部分拡大断面図である。（実施例２）
【図５】本発明に係るベッド兼用ソファのマットレスの部分底面図である。
【図６】図５の矢印VIで指定された箇所の部分斜視図である。
【図７】本発明に係る延長状態でのベッド兼用ソファの支持部及びガイド構造を示す部分平面図である。
【図８】図７における矢印VIIIにより指定された箇所の部分拡大図である。
【図９】図７における矢印IXにより指定された箇所の部分拡大図である。
【図１０】引っ込み状態におけるベッド兼用ソファの支持部及びガイド構造を示す部分平面図である。
【図１１】図１０のXI-XI線部分断面図である。
【図１２】本発明に係るベッド兼用ソファの部分正面図である。
【図１３】図１２における矢印XIIIにより指定された細部を拡大して示す部分断面正面図である。
【符号の説明】
【００２６】
１０  ベッド兼用ソファ
１２  支持及びガイド構造
１４  マットレス
１４ａ  上方部
１４ｂ  下方部
１６  支持面
１６ａ  支持面
１６ｂ  支持面
１８  長辺
２０  短辺
２２  両矢印
２４  支持ロッド
２６  下面
２８  布地
３０  横断管状シート
３２  アイドルガイドローラ
３４  パネル
３６  静止ベース
３８  グランドサポートエレメント
４０  ガイド用アップライト部
４０ａ  上方部
４０ｂ  下方部
４２  ガイドチャネル
４８  静止水平ガイド
５０  可動水平ガイド
５２  可動フレーム
５４  アイドルホイール
５６  アイドルホイール
５８  アイドルホイール
６０  支持エレメント
６２  矢印
６４  管状枕
【図１】
2005034644.tif 000003
【図２】
2005034644.tif 000004
【図３】
2005034644.tif 000005
【図４】
2005034644.tif 000006
【図５】
2005034644.tif 000007
【図６】
2005034644.tif 000008
【図７】
2005034644.tif 000009
【図８】
2005034644.tif 000010
【図９】
2005034644.tif 000011
【図１０】
2005034644.tif 000012
【図１１】
2005034644.tif 000013
【図１２】
2005034644.tif 000014
【図１３】
2005034644.tif 000015